(57)【要約】      （修正有）【課題】ドライバー軸を各種のものに簡単に取り替えることができ、ネジ頭の大きさや形状の異なる各種のネジに対応できるようにしたインパクトドライバーを提供する。【解決手段】グリップ１と、該グリップ１に挿入されたスライダー２と、該スライダー２に着脱自在として装着されたドライバー軸と、スライダー２に打撃力伝達可能としてグリップ１に挿入されたハンマーブロック４とを備え、スライダー２は、スライダー受体５と、スライダー軸６と、該スライダー軸６を先端方向に付勢するバネ部材７とからなり、スライダー受体５は、スライダー軸６の挿入孔１７が設けられると共に、挿入孔１７に係合ピン１８が設けられ、スライダー軸６は、スライダー受体５の係合ピン１８と係合し、ハンマーブロック４の打撃時に、スライダー軸６を後端方向に移動させながら回動させるカム孔８が形成され、ドライバー軸を着脱自在として装着するホルダー９が設けられている。【選択図】図３
0003175841.tif 000002
【実用新案登録請求の範囲】
【請求項１】
グリップ（１）と、このグリップ（１）の前端から挿入されたスライダー（２）と、このスライダー（２）の前端部に着脱自在として装着されたドライバー軸（３）と、前記スライダー（２）の後端部に打撃力伝達可能としてグリップ（１）の後端から挿入されたハンマーブロック（４）とを備え、前記スライダー（２）は、前記グリップ（１）に軸方向移動可能に挿入されたスライダー受体（５）と、このスライダー受体（５）の前端部に挿入され、前記グリップ（１）に回動及び軸方向移動可能に挿入されたスライダー軸（６）と、これらスライダー受体（５）とスライダー軸（６）との間に配置され、スライダー軸（６）を先端方向に付勢するバネ部材（７）とからなり、前記スライダー受体（５）は、前端部にスライダー軸（６）の挿入孔（１７）が設けられると共に、この挿入孔（１７）に係合ピン（１８）が設けられ、前記スライダー軸（６）は、後端部に前記スライダー受体（５）の係合ピン（１８）と係合し、ハンマーブロック（４）の打撃時に、このスライダー軸（６）を後端方向に移動させながら回動させるカム孔（８）が形成され、前端部に前記ドライバー軸（３）を着脱自在として装着するホルダー（９）が設けられたことを特徴とするインパクトドライバー。
【請求項２】
前記グリップ（１）は、スライダー（２）を挿入する空洞（Ｓ）と、ハンマーブロック（４）を挿入する貫通孔（Ｈ）とを連設し、空洞（Ｓ）の内壁には、スライド溝（１２）を軸方向に設けたものとし、前記スライダー受体（５）は、後端部にスライド部（１９）を突設し、このスライド部（１９）を前記グリップ（１）の空洞（Ｓ）の内壁に設けたスライド溝（１２）にスライド自在としていることを特徴とする請求項１記載のインパクトドライバー。
【請求項３】
前記バネ部材（７）は、コイルバネとし、スライダー軸（６）に嵌装されたものとし、その前端がスライダー軸（６）に設けた段部（２１）に当接し、その後端がスライダー受体（５）の前端に当接するようにしていることを特徴とする請求項１又は２記載のインパクトドライバー。
【請求項４】
前記カム孔（８）は、スライダー軸（６）の軸芯に対して、傾斜させて設けたり、または螺旋状に設けた回動カム孔（２２）に連続して、スライダー軸（６）の軸芯に対して、同芯上または平行に設けた非回動孔（２３）からなることを特徴とする請求項１〜３の何れかに記載のインパクトドライバー。
【請求項５】
前記ホルダー（９）は、スライダー軸（６）の前端部に設けた挿入孔（３０）にドライバー軸（３）を挿入した状態において、このドライバー軸（３）を離反不能にするロック機構（３１）を備えていることを特徴とする請求項１〜４の何れかに記載のインパクトドライバー。
【請求項６】
前記ロック機構（３１）は、スライダー軸（６）の前端部に進退可能に外挿された操作筒（３２）と、スライダー軸（６）の前端部の外周面から挿入孔（３０）まで貫通する貫通孔（３３）と、この貫通孔（３３）にスライダー軸（６）の直径方向に移動可能に挿入されたボール（３４）と、スライダー軸（６）の外周に装着された止めリング（３５）と、スライダー軸（６）の外周面と操作筒（３２）との間に装着されて止めリング（３５）により抜け止めされたコイルバネ（３６）とから構成されていることを特徴とする請求項５記載のインパクトドライバー。
【考案の詳細な説明】
【技術分野】
【０００１】
この考案は、錆びついて取り外し難くなったネジに打撃を与えて緩めたり、またはねじ込まれたネジに打撃を与えてさらに強く締め付けたりするのに用いられるインパクトドライバーに関するものである。
【背景技術】
【０００２】
従来、この種のインパクトドライバーとしては、例えば図１１に示したように、グリップ４２と、このグリップ４２に基部が回動及び軸方向移動可能に挿入されたドライバー軸４３と、グリップ４２の後部から挿入された打撃可能なスライダー４４と、前記ドライバー軸４３とスライダー４４との間に配置され、ドライバー軸４３を前端方向に付勢する付勢部材４５とを備えたものが存在する（特許文献１）。
【０００３】
前記ドライバー軸４３の基部には、係合部材４６が設けられているとしている。前記スライダー４４は、ドライバー軸４３の基部に嵌合され、係合部材４６と係合して、スライダー４４の打撃時にドライバー軸４３と相対軸方向移動することにより、このドライバー軸４３を回動させるカム部４７が形成されているとしている。さらに、このカム部４７には、ドライバー軸４３を回動させる回動カム部４７ａに連続して、スライダー４４の非打撃時にグリップ４２の回動力をドライバー軸４３に伝達する一体回動部４７ｂが形成されているとしている。
【先行技術文献】
【特許文献】
【０００４】
【特許文献１】実用新案登録第３１５６４０３号公報
【考案の概要】
【考案が解決しようとする課題】
【０００５】
しかしながら、上記図１１に示された従来のインパクトドライバーでは、前記ドライバー軸４３の基部に係合部材４６を設け、前記スライダー４４はこのドライバー軸４３の基部に嵌合され、係合部材４６と係合したものとしているので、ドライバー軸４３が着脱自在構造にはなっておらず、このドライバー軸４３を各種のものに簡単に取り替えることができない。
【０００６】
そのため、従来のインパクトドライバーでは、ドライバー軸４３の軸頭４８が、ネジ頭の大きさや形状の異なる各種のネジのすべてには合致せず、これらのネジを緩めたり、または強く締め付ける場合には対応することができないという問題点を有していた。
【０００７】
そこで、この考案は、上記従来の問題点を解決するものであり、ドライバー軸を各種のものに簡単に取り替えることができるようにして、ネジ頭の大きさや形状の異なる各種のネジに対応することができるようにしたインパクトドライバーを提供することを目的としてなされたものである。
【課題を解決するための手段】
【０００８】
そのため、この考案のインパクトドライバーは、グリップ１と、このグリップ１の前端から挿入されたスライダー２と、このスライダー２の前端部に着脱自在として装着されたドライバー軸３と、前記スライダー２の後端部に打撃力伝達可能としてグリップ１の後端から挿入されたハンマーブロック４とを備え、前記スライダー２は、前記グリップ１に軸方向移動可能に挿入されたスライダー受体５と、このスライダー受体５の前端部に挿入され、前記グリップ１に回動及び軸方向移動可能に挿入されたスライダー軸６と、これらスライダー受体５とスライダー軸６との間に配置され、スライダー軸６を先端方向に付勢するバネ部材７とからなり、前記スライダー受体５は、前端部にスライダー軸６の挿入孔１７が設けられると共に、この挿入孔１７に係合ピン１８が設けられ、前記スライダー軸６は、後端部に前記スライダー受体５の係合ピン１８と係合し、ハンマーブロック４の打撃時に、このスライダー軸６を後端方向に移動させながら回動させるカム孔８が形成され、前端部に前記ドライバー軸３を着脱自在として装着するホルダー９が設けられたものとしている。
【０００９】
そして、この考案のインパクトドライバーにおいて、前記グリップ１は、スライダー２を挿入する空洞Ｓと、ハンマーブロック４を挿入する貫通孔Ｈとを連設し、空洞Ｓの内壁には、スライド溝１２を軸方向に設けたものとし、前記スライダー受体５は、後端部にスライド部１９を突設し、このスライド部１９を前記グリップ１の空洞Ｓの内壁に設けたスライド溝１２にスライド自在としている。
【００１０】
さらに、この考案のインパクトドライバーにおいて、前記バネ部材７は、コイルバネとし、スライダー軸６に嵌装されたものとし、その前端がスライダー軸６に設けた段部２１に当接し、その後端がスライダー受体５の前端に当接するようにしている。
【００１１】
また、この考案のインパクトドライバーにおいて、前記カム孔８は、スライダー軸６の軸芯に対して、傾斜させて設けたり、または螺旋状に設けた回動カム孔２２に連続して、スライダー軸６の軸芯に対して、同芯上または平行に設けた非回動孔２３からなるものとしている。
【００１２】
さらに、この考案のインパクトドライバーにおいて、前記ホルダー９は、スライダー軸６の前端部に設けた挿入孔３０にドライバー軸３を挿入した状態において、このドライバー軸３を離反不能にするロック機構３１を備えている。
【００１３】
また、この考案のインパクトドライバーにおいて、前記ロック機構３１は、スライダー軸６の前端部に進退可能に外挿された操作筒３２と、スライダー軸６の前端部の外周面から挿入孔３０まで貫通する貫通孔３３と、この貫通孔３３にスライダー軸６の直径方向に移動可能に挿入されたボール３４と、スライダー軸６の外周に装着された止めリング３５と、スライダー軸６の外周面と操作筒３２との間に装着されて止めリング３５により抜け止めされたコイルバネ３６とから構成されている。
【考案の効果】
【００１４】
この考案のインパクトドライバーは、以上に述べたように構成されており、ドライバー軸を各種のものに簡単に取り替えることができるので、ネジ頭の大きさや形状の異なる各種のネジを緩めたり、または強く締め付ける場合に対応させることができるものとなった。
【図面の簡単な説明】
【００１５】
【図１】この考案のインパクトドライバーの一実施形態を示しており、ドライバー軸を外した状態の側面図である。
【図２】図１に示すこの考案のインパクトドライバーのスライダーの側面図である。
【図３】図１に示すこの考案のインパクトドライバーの軸方向断面図である。
【図４】図２中のＡ−Ａ線によるこの考案のインパクトドライバーの断面図である。
【図５】図１に示すこの考案のインパクトドライバーのグリップのみの断面図である。
【図６】この考案のインパクトドライバーのインパクト作動前（非打撃時）の断面図である。
【図７】この考案のインパクトドライバーのインパクト作動時（打撃時）の断面図である。
【図８】この考案のインパクトドライバーのドライバー軸の着脱状態を示す部分断面図である（装着時）。
【図９】この考案のインパクトドライバーのドライバー軸の着脱状態を示す部分断面図である（脱着後）。
【図１０】この考案のインパクトドライバーのドライバー軸の着脱状態を示す部分断面図である（装着前）。
【図１１】従来のインパクトドライバーの一例を示す一部断面側面図である。
【考案を実施するための形態】
【００１６】
以下、この考案のインパクトドライバーを実施するための形態を、図面に基づいて詳細に説明する。
【００１７】
この考案のインパクトドライバーは、図１〜５に示したように、グリップ１と、このグリップ１の前端から挿入されたスライダー２と、このスライダー２の前端部に着脱自在として装着されたドライバー軸３と、前記スライダー２の後端部に打撃力伝達可能としてグリップ１の後端から挿入されたハンマーブロック４とを備えている。
【００１８】
前記グリップ１は、硬質の合成樹脂等からなり、把持し易いように、外周には略全長にわたって軟質の合成樹脂等からなる外装体１１が被覆されており、内部にはスライダー２を挿入する空洞Ｓと、ハンマーブロック４を挿入する貫通孔Ｈとを連設している。さらに、このグリップ１の空洞Ｓの内壁には、後に述べるスライダー２のスライダー受体５のスライド部１９がスライド自在となるスライド溝１２を軸方向に延設したものとしている。
【００１９】
前記スライダー２は、前記グリップ１に軸方向移動可能に挿入されたスライダー受体５と、このスライダー受体５の前端部に挿入され、前記グリップ１に回動及び軸方向移動可能に挿入されたスライダー軸６と、これらスライダー受体５とスライダー軸６との間に配置され、スライダー軸６を先端方向に付勢するバネ部材７とからなる。
【００２０】
前記ドライバー軸３は、大きさや形状の異なる各種のネジのネジ頭に対応する各種の軸頭１３を有した両頭ビットとしたり、同様の軸頭１３を有した片頭ビットとすることができ、両端部または一端部には、抜け止め用の周溝１４を有したものとしている。
【００２１】
前記ハンマーブロック４は、ステンレス等の金属からなり、グリップ１の貫通孔Ｈに挿入される軸部１５と、ハンマーで打撃される頭部１６とを有したものとしている。
【００２２】
前記スライダー受体５は、前端部にスライダー軸６の挿入孔１７が設けられると共に、この挿入孔１７には係合ピン１８が直径方向に架設され、後端部にスライド部１９が直径方向に突設されている。そして、このスライド部１９を前記グリップ１の空洞Ｓの内壁に設けたスライド溝１２にスライド自在としている。なお、前記スライド部１９は、スライダー受体５の後端に直径方向に設けた溝に棒状体を嵌め込んで、この棒状体の両端を突き出したものとしているが、スライダー受体５の後端に直径方向に貫通させた棒状体の両端を突き出したものとしてもよい。
【００２３】
前記スライダー軸６は、後端部に前記スライダー受体５の係合ピン１８と係合し、ハンマーブロック４のハンマーでの打撃時に、このスライダー軸６を後端方向に移動させながら回動させるカム孔８が形成され、前端部に前記ドライバー軸３を着脱自在として装着するホルダー９を設けている。
【００２４】
前記バネ部材７は、コイルバネとしており、スライダー軸６に嵌装され、その前端がスライダー軸６に設けた段部２１に当接し、その後端がスライダー受体５の前端に当接するようにしている。
【００２５】
前記カム孔８は、ハンマーブロック４の打撃時に、スライダー軸６を回動させる回動カム孔２２に連続して、ハンマーブロック４の非打撃時に、スライダー軸６を回動させずに、グリップ１の回動力をスライダー軸６に伝達する非回動孔２３を設けたものとしている。
【００２６】
前記回動カム孔２２は、スライダー軸６の軸芯に対して、傾斜させて設けたり、または螺旋状に設けたものとし、ハンマーブロック４の打撃時に、スライダー軸６が後端方向に移動しながら、回動するようにしている。すなわち、回動カム孔２２に係合ピン１８が位置するときには、傾斜または螺旋状のカム孔面に当接しながら係合ピン１８がスライダー軸６の軸方向移動することにより、スライダー受体５を基準にして見ると、スライダー軸６が軸方向移動しながら回動することになる。
【００２７】
前記非回動孔２３は、スライダー軸６の軸芯に対して、同芯上または平行に設けたものとし、ハンマーブロック４の非打撃時に、この非回動孔２３にスライダー受体５の係合ピン１８が係合して、グリップ１を回動させたときの回動力をスライダー軸６に伝達するようにしている。すなわち、非回動孔２３に係合ピン１８が位置するときには、スライダー軸６は軸方向に移動するが、係合ピン１８がカム孔面に直角に当接しているので、グリップ１を回動させたときの回動力はスライダー軸６に伝達されることになる。
【００２８】
なお、図３に示すカム孔８は、ネジを緩める場合の溝形状であり、ネジを強く締め付ける場合には回動カム孔２２を図３とは周方向逆方向に傾斜または螺旋状にすればよい。
【００２９】
前記ホルダー９は、図８〜１０に示したように、前記ドライバー軸３を着脱自在として装着するようにしており、スライダー軸６の前端部に設けた断面正六角形状の挿入孔３０にドライバー軸３を挿入した状態において、このドライバー軸３を離反不能にするロック機構３１を備えている。
【００３０】
前記ロック機構３１は、スライダー軸６の前端部に進退可能に外挿された操作筒３２と、スライダー軸６の前端部の外周面から挿入孔３０まで貫通する貫通孔３３と、この貫通孔３３にスライダー軸６の直径方向に移動可能に挿入されたボール３４と、スライダー軸６の外周に装着された止めリング３５と、スライダー軸６の外周面と操作筒３２との間に装着されて止めリング３５により抜け止めされたコイルバネ３６とから構成されている。そして、図９に示すように、操作筒３２をコイルバネ３６の付勢力に対して前端側に移動させたときは、前記貫通孔３３と操作筒３２の後端部に形成した空間部３２ａとが連通して、ボール３４が外方に移動可能となって、挿入孔３０にドライバー軸３が挿脱できる状態となる。また、図８に示すように、操作筒３２がコイルバネ３６の付勢力によって後端側に移動したときは、操作筒３２により内方へ移動したボール３４がドライバー軸３の周溝１４に嵌まってスライダー軸６にこのドライバー軸３が抜け止め状態となるようにしている。
【００３１】
この考案のインパクトドライバーは、以上に述べたように構成されているので、ハンマーブロック４を打撃することなく、グリップ１を手で握って使用する場合には、ドライバー軸３の軸頭１３をネジの頭部に合わせた状態で、グリップ１を回動させればよい。すると、図６に示したように、スライダー受体５の係合ピン１８がスライダー軸６のカム孔８の非回動孔２３に係合しているので、グリップ１の回動力は、スライダー軸６からドライバー軸３にそのまま伝達され、通常のドライバーとして、ネジを緩めたり、締めたりすることができる。
【００３２】
さらに、この考案のインパクトドライバーは、錆びついて取り外し難くなったネジを緩める場合や、またはネジを強く締め付ける場合には、グリップ１を手で握り、ドライバー軸３の軸頭１３をネジの頭部に合わせた状態で、ハンマー等でハンマーブロック４を打撃すればよい。すると、図７に示したように、その衝撃でバネ部材７の付勢力に抗してグリップ１が先端側に移動し、カム孔８の非回動孔２３に係合していた係合ピン１８が、非回動孔２３から回動カム孔２２を軸方向に移動しながらスライダー軸６を回動することになり、ハンマーブロック４を打撃した力がスライダー軸６の回動力に変換されることになる。したがって、このようにしてハンマーブロック４を打撃すれば、錆びついて取り外し難くなったネジを緩めたり、またはネジを強く締め付けることができる。
【００３３】
そして、この考案のインパクトドライバーは、グリップ１を手で回転させて使用する場合や、ハンマー等でハンマーブロック４を打撃して使用する場合に、緩めたり、締めたりするネジの頭部にドライバー軸３の軸頭１３が合致しないときには、次のようにしてこのドライバー軸３をスライダー軸６から取り外し、その緩めたり、締めたりするネジの頭部に合致する軸頭１３のドライバー軸３に取り替えればよい。
【００３４】
先ず、ドライバー軸３を外す場合には、図８に示した状態から、操作筒３２をコイルバネ３６の付勢力に対して前端側に移動させれば、貫通孔３３と操作筒３２の後端部に形成した空間部３２ａとが連通して、ボール３４が外方に移動可能となって、挿入孔３０にドライバー軸３が挿脱できる状態となるので、図９に示したように、この状態でスライダー軸６からドライバー軸３を脱離させて取り外せばよい。
【００３５】
次に、ドライバー軸３を取り替える場合には、図１０に示した状態から操作筒３２をコイルバネ３６の付勢力に対して再び前端側に移動させれば、貫通孔３３と操作筒３２の後端部に形成した空間部３２ａとが連通して、ボール３４が外方に移動可能となって、挿入孔３０にドライバー軸３が挿脱できる状態となるので、この状態で挿入孔３０に取り替えるドライバー軸３を挿入すれば、図８に示したように、操作筒３２がコイルバネ３６の付勢力によって後端側に移動し、操作筒３２により内方へ移動したボール３４がドライバー軸３の周溝１４に嵌まってスライダー軸６にこのドライバー軸３が抜け止め状態となって、取り付けられることになる。
【００３６】
したがって、この考案のインパクトドライバーは、ドライバー軸３を各種のものに簡単に取り替えることができ、緩めたり、締めたりするネジの頭部にドライバー軸３の軸頭１３が合致しない場合にも、そのネジの頭部の大きさや形状の異なる各種のネジを緩めたり、または強く締め付ける場合に対応させることができるものとなる。
【符号の説明】
【００３７】
１  グリップ
２  スライダー
３  ドライバー軸
４  ハンマーブロック
５  スライダー受体
６  スライダー軸
７  バネ部材
８  カム孔
９  ホルダー
１２  スライド溝
１７  挿入孔
１８  係合ピン
１９  スライド部
２１  段部
２２  回動カム孔
２３  非回動孔
３０  挿入孔
３１  ロック機構
３２  操作筒
３３  貫通孔
３４  ボール
３５  止めリング
３６  コイルバネ
Ｓ  空洞
Ｈ  貫通孔
【図１】
0003175841.tif 000003
【図２】
0003175841.tif 000004
【図３】
0003175841.tif 000005
【図４】
0003175841.tif 000006
【図５】
0003175841.tif 000007
【図６】
0003175841.tif 000008
【図７】
0003175841.tif 000009
【図８】
0003175841.tif 000010
【図９】
0003175841.tif 000011
【図１０】
0003175841.tif 000012
【図１１】
0003175841.tif 000013